(57)【要約】【課題】  映像や音声等の品質を下げることなく、多段階の早送りや巻戻し等の再生状態を表示可能な映像再生装置、映像再生方法及び映像再生プログラムを提供すること。【解決手段】  多段階の早送り及び巻戻し等の再生状態を表示可能な映像再生装置であり、再生状態を示すための表示画像データを記憶する画像格納部１０８と、再生状態を指定する操作情報を受け付ける操作情報受付部１０３と、指定された再生状態に基づいて画像格納部１０８から表示画像データを読み出す画像選択部１０７と、読み出した表示画像データを指定された再生状態に応じて変換する画像変換部１０９とを備える。【選択図】  図１
2007013410.tif 000002
【特許請求の範囲】
【請求項１】
多段階の早送り再生及び巻戻し再生の少なくとも一方の再生状態を表示可能な映像再生装置であって、
前記再生状態を示すための表示画像データを記憶する記憶手段と、
前記再生状態を指定する信号が入力される入力手段と、
前記指定された再生状態に基づいて前記記憶手段から表示画像データを読み出し、前記読み出した表示画像データを前記指定された再生状態に応じて変換する画像変換手段と
を備える映像再生装置。
【請求項２】
請求項１に記載の映像再生装置であって、
前記画像変換手段は、前記記憶手段から読み出した表示画像を、前記指定された再生状態に応じて点滅させる速度を変化させる点滅速度変速手段を有する映像再生装置。
【請求項３】
請求項１又は２に記載の映像再生装置であって、
前記画像変換手段は、前記記憶手段から読み出した表示画像を、前記指定された再生状態に応じて色彩を変色させる色彩変色手段を有する映像再生装置。
【請求項４】
請求項１ないし３のいずれか一項に記載の映像再生装置であって、
前記画像変換手段は、前記記憶手段から読み出した表示画像を、前記指定された再生状態に応じて形状を変形させる形状変換手段を有する映像再生装置。
【請求項５】
請求項１ないし４のいずれか一項に記載の映像再生装置であって、
前記画像変換手段は、前記再生状態と前記表示画像データの変換順序とを対応付けて保持する変換方法保持手段と、前記保持されている変換順序を参照して、前記記憶手段から読み出した表示画像の変換を制御する変換制御手段とを有する映像再生装置。
【請求項６】
多段階の早送り再生及び巻戻し再生の少なくとも一方の再生状態を表示可能な映像再生方法であって、
前記再生状態を指定する信号が入力されるステップと、
前記指定された再生状態に基づいて、再生状態を示すための表示画像データを記憶する記憶手段から表示画像データを読み出し、前記読み出した表示画像データを前記指定された再生状態に応じて変換するステップと
を有する映像再生方法。
【請求項７】
コンピュータに、請求項６に記載の各ステップを実行させるプログラム。
【発明の詳細な説明】
【技術分野】
【０００１】
本発明は、映像再生装置、映像再生方法及び映像再生プログラムに関する。
【背景技術】
【０００２】
従来、ＯＳＤ（On Screen Display）機能を設けて、再生速度の変更等の特殊再生を行う際、メモリなどに記録した各特殊再生に応じたアイコンや文字列を読み出し、ＯＳＤ機能を利用することで再生画面上に表示させる映像再生装置があった。すなわち、その再生速度及び再生方向などに応じたアイコンや文字列を、ＯＳＤ機能を利用することによって、再生画面とともに表示させることで、ユーザに現在動作している特殊再生を認識させていた。
【０００３】
しかしながら、特殊再生の種類が増加するにつれ、上述したアイコンや文字列の種類も増加し、ユーザがそれぞれのアイコンや文字列を判別して、動作している特殊再生を認識することが困難になる。
【０００４】
そこで、特殊再生を行うときに、再生される画像の輝度を高くしたり、発生させるビープ音の停止期間を短くすることで、現在動作している特殊再生動作の種類を容易に認識することができる映像再生装置が提案されている（例えば、特許文献１参照）。
【特許文献１】特開平２００３−１０１９５９号公報
【発明の開示】
【発明が解決しようとする課題】
【０００５】
しかしながら、上記の映像再生装置にあっては、映像全体の輝度を変化させ再生状態を表現するため、特殊再生中の映像が見づらくなるという事情があった。ビープ音を出力することにより特殊再生動作を表現すると、例えば１．５倍速再生などの映像と音声が同時に再生される場合に、ビープ音が音声に重なってしまい、再生する音声が聞き取りづらくなるという事情もあった。
【０００６】
本発明は、上記の事情に鑑みてなされたものであって、映像や音声等の品質を下げることなく、多段階の早送りや巻戻し等の再生状態を表示可能な映像再生装置、映像再生方法及び映像再生プログラムを提供することを目的とする。
【課題を解決するための手段】
【０００７】
本発明の映像再生装置は、多段階の早送り再生及び巻戻し再生の少なくとも一方の再生状態を表示可能な映像再生装置であって、前記再生状態を示すための表示画像データを記憶する記憶手段と、前記再生状態を指定する信号が入力される入力手段と、前記指定された再生状態に基づいて前記記憶手段から表示画像データを読み出し、前記読み出した表示画像データを前記指定された再生状態に応じて変換する画像変換手段とを備える。
この構成により、多段階の早送りや巻戻しの再生状態を、映像や音声等の品質を下げることなく、多段階の早送りや巻戻し等の再生状態を表示することができる。
【０００８】
また、本発明の映像再生装置において、前記画像変換手段は、前記記憶手段から読み出した表示画像を、前記指定された再生状態に応じて点滅させる速度を変化させる点滅速度変速手段を有する。この構成により、表示画像を点滅させることで再生状態を示すことができる。
【０００９】
また、本発明の映像再生装置において、前記画像変換手段は、前記記憶手段から読み出した表示画像を、前記指定された再生状態に応じて色彩を変色させる色彩変色手段を有する。この構成により、表示画像の色を変化させることで再生状態を示すことができる。
【００１０】
また、本発明の映像再生装置において、前記画像変換手段は、前記記憶手段から読み出した表示画像を、前記指定された再生状態に応じて形状を変形させる形状変換手段を有する。この構成により、表示画像の形状を変化させることで再生状態を示すことができる。
【００１１】
また、本発明の映像再生装置において、前記画像変換手段は、前記再生状態と前記表示画像データの変換順序とを対応付けて保持する変換方法保持手段と、前記保持されている変換順序を参照して、前記記憶手段から読み出した表示画像の変換を制御する変換制御手段とを有する。この構成により、再生状態表示画像の変換順序を、例えばユーザの趣向に合わせて変更可能にすることができる。
【００１２】
本発明の映像再生方法は、多段階の早送り再生及び巻戻し再生の少なくとも一方の再生状態を表示可能な映像再生方法であって、前記再生状態を指定する信号が入力されるステップと、前記指定された再生状態に基づいて、再生状態を示すための表示画像データを記憶する記憶手段から表示画像データを読み出し、前記読み出した表示画像データを前記指定された再生状態に応じて変換するステップとを有する。
この方法により、多段階の早送りや巻戻しの再生状態を、映像や音声等の品質を下げることなく、多段階の早送りや巻戻し等の再生状態を表示することができる。
【００１３】
また、本発明は、コンピュータに、上記の各ステップを実行させるプログラムを提供する。このプログラムにより、多段階の早送りや巻戻しの再生状態を、映像や音声等の品質を下げることなく、多段階の早送りや巻戻し等の再生状態を表示することができる。
【発明の効果】
【００１４】
本発明によれば、映像や音声等の品質を下げることなく、多段階の早送りや巻戻し等の再生状態を表示可能な映像再生装置、映像再生方法及び映像再生プログラムを提供することができる。
【発明を実施するための最良の形態】
【００１５】
（第１の実施形態）
図１は、本発明の第１の実施形態に係る映像再生装置の概略構成を示すブロック図である。図１に示すように、第１の実施形態の映像再生装置１０１は、操作情報受付部１０３、画像変換命令文作成部１０４、映像制御部１０５、画像選択部１０７、画像格納部１０８、画像変換部１０９、画像表示部１１０を備える。
【００１６】
映像再生装置１０１には、映像再生装置１０１を操作するための、例えばリモコンやキーボード等の入力装置１０２、映像制御部１０５の要求により映像を出力するための、例えば映像配信サーバ等の映像出力装置１０６、映像制御部１０５によって出力される映像及び画像表示部１１０によって出力される画像を表示する映像表示装置１１１とが接続されている。
【００１７】
操作情報受付部１０３は入力装置１０２から再生状態を指定する信号が入力され、画像変換命令文作成部１０４に渡すとともに映像制御部１０５に処理開始の信号を渡す。映像制御部１０５は映像出力装置１０６に映像出力を要求し、映像出力装置１０６より出力される映像を映像表示装置１１１に出力する。
【００１８】
画像変換命令文作成部１０４は、操作情報受付部からの信号をもとに、画像変換命令文３０１（図２参照）を作成する。図２は、本発明の第１の実施形態に係る画像変換命令の形式の一例を示す図である。
【００１９】
図２に示すように、画像変換命令文３０１は、操作名３０２、画像３０３、色３０４、倍率３０５、点滅３０６を有して構成されている。操作名３０２は、「再生」、「停止」、「早送り」等の再生状態を指定する操作を示す情報であり、画像格納部１０８には、これらに対応する画像データ、すなわち、指定された再生状態を示すための表示画像データが記憶されている。画像３０３はこれらの画像の形状データである。色３０４は画像３０３の色、倍率３０５は画像３０３の縦や横方向の拡大率、点滅３０６は画像３０３を表示する時の点滅周期が格納される。
【００２０】
画像選択部１０７は、画像変換命令文作成部１０４から渡された画像変換命令文３０１の画像名３０２に対応する画像、すなわち、指定された再生状態を示すための表示画像データを、画像変換画像格納部１０８から選択して読み出し、その画像データを画像変換命令文３０１の画像３０３のエリアに格納して、この画像変換命令文を画像変換部１０９に渡す。
【００２１】
画像変換部１０９は、画像格納部１０８から読み出された表示画像データを指定された再生状態に応じて表示画像データを変換する。
【００２２】
図３は、本発明の第１の実施形態に係る画像変換部の構成例を示すブロック図である。最初に、画像選択部１０７から、画像変換命令文３０１が入力されると、色彩変色部２０１が、画像変換命令文３０１の色３０４を参照し、画像３０３に色をつける。そして、画像変換命令文３０１中の画像３０３を書き換え、形状変形部２０２に渡す。次に、形状変形部２０２が、画像変換命令文３０１の形状３０５を参照して、画像３０３の大きさを決定する。最後に、点滅速度変換部２０３が、画像変換命令文３０１の点滅３０６を参照し、画像３０３を画像表示部１１０に出力するタイミングを調整する。このようにして、目的とする再生状態を示す表示画像が画像表示装置１１１に表示される。
【００２３】
以上のように構成された映像再生装置について、図４を用いてその動作を説明する。図４は、本発明の第１の実施形態に係る映像再生方法の処理手順を説明するためのフロー図である。以下ではユーザが再生から早送りに切り替えた場合を例に説明する。
【００２４】
ユーザが入力装置１０２により早送りの操作を行うと（ステップＳ２０１）、早送りの操作情報を操作情報受付部１０３で受け付け、映像制御部１０５に早送りするよう要求し、同時に画像変換命令文作成部１０４に、画像変換命令の作成を要求する。（ステップＳ２０２）。映像制御部１０５では映像出力装置１０６より出力される早送り映像を映像表示装置１１１に出力する（ステップＳ２０４）。
【００２５】
画像変換命令文作成部１０４では、早送りであることを示す操作名３０２と、この操作に対応する画像の色、拡大倍率、点滅間隔などを決定して、画像変換命令文３０１を作成する（ステップＳ２０３）。この情報は、例えば色を赤色へ、高さを７５％に変換し、点滅を１回／秒にするというものである。
【００２６】
画像選択部１０７では、画像変換命令文３０１に従って、画像格納部１０８より早送りに対応した画像を取得し、画像変換命令文３０１の画像３０３のエリアにその画像の形状を格納する（ステップＳ２０５）。
【００２７】
画像変換部１０９では、画像変換命令文３０１を受け取った後、色彩変色部２０１が画像変換命令３０１の色３０４のエリアを参照し（ステップＳ２０７）、色を変える必要があれば画像３０３の色を変える（ステップＳ２０８）。また、形状変形部２０２は、倍率３０５を参照し（ステップＳ２０９）、倍率を変える必要があれば画像の形状を変換する（ステップＳ２１０）。
【００２８】
点滅速度変換部２０３は、点滅３０６を参照し（ステップＳ２１１）、点滅する必要があれば画像の表示・削除を繰り返す指示（ステップＳ２１２）を実行する。画像表示部１１０は、画像変換部１０９での画像変換の結果より、再生状態を示す画像の表示データを映像表示装置１１１に出力し、映像表示装置１１１において、再生状態を示す表示がなされる（ステップＳ２１３）。
【００２９】
図５は、本発明の第１の実施形態に係る映像再生装置の再生状態表示画像の変換移行例の図である。図５の例では、早送り状態用の画像変換命令文が、点滅を１回／秒、色を赤色へ、高さを７５％に変換するものである場合を示す。図５（Ａ）の状態は、再生時の状態を示している。この状態では、青色の右向きの三角形の画像を表示することで、再生状態が示されている。
【００３０】
そして、色彩変色部２０１で画像の色を赤色に変換させ、次に形状変形部２０２で画像の高さを７５％に縮小する。そして、点滅速度変速部２０３は初回画像表示から１秒後に消す指示を出しさらに１秒後に表示させるという指示を画像表示部１１０に出す。
【００３１】
この結果、まず図５（Ｂ）に示すように、赤色に変色され、高さが７５％に変形された右向きの三角形の画像が示される。そして、その１秒後に図５（Ｃ）に示すように、画像が削除され、更に１秒後には、図５（Ｄ）に示すように再表示する。また、そのその１秒後に図５（Ｅ）に示すように、画像が削除され、更に１秒後には、図５（Ｆ）に示すように再表示する。このようにして、赤色の高さが７５％に変形された画像が１秒毎に点滅することとなり、再生状態の変更が指示されるまで、繰り返される。なお、巻戻しや倍速再生等の再生状態への切替についても図４と同様な処理により、その再生状態に応じて画像変換命令文を生成することで、実現することができる。
【００３２】
さらに、巻き戻しの場合は再生を示す画像と同じ画像データを用いて左右反転したり、再生速度が異なる場合には、色、高さ、点滅速度のいずれか少なくとも一つを変更する等の変換処理を行うことにより、一つの画像データで複数の再生状態を表現することが可能となるので、画像格納部１０８が記憶する画像データの量を減少させることができ、画像データの格納領域の容量を抑制することができる。
【００３３】
なお、画像変換命令文は決められた値を使用するのではなく、数式によって算出することもできる。例えば、早送り段階が１〜１０ありｎ段階の早送りをする場合、点滅速度＝ｎ回／秒のように算出でき、変色する色＝１６進数のＲＧＢ値（１１２２３３）×ｎのように算出でき、形状変形の縦横比＝（１／ｎ）×１００％のように算出することもできる。
【００３４】
なお、画像変換部１０９で点滅速度変速部２０３のみを使用し再生状態に合わせて画像変換を行い画像表示部１１０より映像表示装置１１１に出力することもできる。
【００３５】
また、画像変換部１０９で色彩変色部２０１のみを使用し再生状態に合わせて画像変換を行い画像表示部１１０より映像表示装置１１１に出力することもできる。
【００３６】
また、画像変換部１０９で形状変形部２０２のみを使用し再生状態に合わせて画像変換を行い画像表示部１１０より映像表示装置１１１に出力することもできる。なお、色彩変色部２０１、形状変形部２０２、点滅速度変換部２０３の接続順序は、図３の順序に限定されるものではない。
【００３７】
このような本発明の第１の実施の形態の映像再生装置によれば、画像変換部１０９を備え色彩変色部２０１、形状変形部２０２、点滅速度変速部２０３による画像変換処理を行うことで、多段階の速度の早送りや巻戻し等の複数の再生状態を一つの画像で表現することができる。
【００３８】
（第２の実施形態）
図６は、本発明の第２の実施形態に係る画像変換部の構成例を示すブロック図である。本実施形態の映像再生装置は、図１に示された映像装置１０１において、画像変換部１０９の代わりに、図６に示された画像変換部５０９が設けられたものである。なお、第１の実施形態で説明した部分と重複する部分については同一の符号を付す。
【００３９】
図６に示すように、本実施形態の画像変換部５０９は、画像変換制御部５０１と、パターンデータ記憶部５０２と、色彩変色部２０１と、形状変形部２０２と、点滅速度変換部２０３とを備える。
【００４０】
本実施形態では、画像変換命令文作成部１０４が画像変換命令を作成する際に、第１の実施形態のように「再生」、「早送り」といった単純な操作名だけでなく、「再生１」、「再生２」、「再生３」・・・、「早送り１」、「早送り２」、「早送り３」・・・、といったように、さらに詳しい再生状態に対応したものとなっている。そして、パターンデータ記憶部５０２には、このような詳細な再生状態に応じた画像変換順序であるパターンデータが格納されており、画像変換制御部５０１は、画像選択部１０７からのデータに含まれる画像変換命令文３０１に、パターンデータに応じた色３０４、倍率３０５、点滅３０６を書き込む。なお、パターンデータ記憶部５０２は、ユーザが入力装置１０２等を用いることにより、パターンデータを変更することができる。
【００４１】
図７は本発明の第２の実施形態に係る映像再生装置のパターンデータの第１の例を示す図であり、図７（Ａ）は色彩テーブル、図７（Ｂ）は形状テーブル、図７（Ｃ）は点滅テーブルを示す。
【００４２】
図７（Ａ）の色彩テーブルは、画像変換命令文３０１に書込まれる操作名３０２と色３０４との対応を示しており、例えば操作名が「早送り１」の時、色は赤になることを示している。また、図７（Ｂ）の形状テーブルは、操作名３０２と形状３０５との対応を、図７（Ｃ）の点滅テーブルは、操作名３０２と点滅３０６との対応を示している。
【００４３】
図８は、本発明の第２の実施形態に係る映像再生装置のパターンデータの第２の例を示す図であり、図８（Ａ）は色彩テーブル、図８（Ｂ）は形状テーブル、図８（Ｃ）は点滅テーブルを示す。
【００４４】
図８（Ａ）の色彩テーブルは、画像変換命令文３０１に書込まれる操作名３０２と色３０４との対応を示しているが、色３０４のエリアには、色パターン７０７と変化速度７０８の両方が格納される。そして、変化速度７０８の周期で、画像の色が色パターン７０７の順で変わっていく事を示している。
【００４５】
図８（Ｂ）の形状テーブルは、操作名３０２と形状３０５との対応を示しており、形状３０５には、形状変換パターン７０９、変化速度７１０、回転角度７１１が格納される。例えば、指定された操作名（再生状態）が早送り１の場合は、横方向の比率が１００％、１５０％、２００％と１秒間に５回変化することを示しており、回転角度７１１が０度なので画像の回転はしない。巻き戻し１の時は、横方向の比率の変化と周期は早送り１と同じであるが、画像が１８０度回転することを示している。
【００４６】
図８（Ｃ）の点滅テーブルは、操作名３０２と点滅３０６の対応を示しており、早送り１の時は、１秒表示して、０．５秒消去（表示しない）ことを示している。
【００４７】
図９は、本発明の第２の実施形態に係る映像再生装置のパターンデータの第３の例を示す図である。図９は再生状態の表示方法が点滅式である場合を示しており、操作名３０２と点滅３０６との対応を示している。例えば、早送りの時は、入力装置１０２などから与えられた１秒間に点滅する回数によって、画像の点滅が変えられることを示している。
【００４８】
以上のように構成された映像再生装置について、図１０を用いてその動作を説明する。第１の実施形態で説明した図４と異なるのは、画像変換命令文変更（ステップ２０６）が消去され、パターンデータを元に画像変換命令文変更（ステップ６０１）が追加された点である。
【００４９】
画像変換命令文生成（ステップ２０３）では、操作名３０１のみを格納する。そして、画像選択部１０７により、操作名３０２に応じた画像３０２のみが画像格納部１０８から読み出され、画像変換命令３０１の画像３０３にセットされる（ステップ２０５）。
【００５０】
画像変換制御部５０１は、パターンデータ記憶部５０２に記憶されたパターンデータから、操作名３０２に対応する色３０４、形状３０５、点滅３０６をパターンデータ記憶部５０２に記憶されたパターンデータから選択して画像変換命令３０１にセットする（ステップ６０１）。
【００５１】
色変換部２１０は、色３０４の情報に従って画像の色を一定の色にしたり、周期的に変える（ステップ２０８）。形状変形部２０２は、形状３０５の情報に従って、画像の形状を一定の形あるいは、周期的に変える（ステップ２１０）。点滅速度変換部２０３は、点滅３０６の情報に従って、画像を表示したり表示しなかったりする周期を変える（ステップ２１２）。
【００５２】
このように、同じ画像を元にして、様々な再生動作状態に対応した表示を行うことが出来る。図１１は、本発明の第２の実施形態に係る映像再生装置の再生状態表示画像の変換例を示す図である。
【００５３】
図１１（Ａ）の状態は、再生時の状態を示している。この状態では、青色の右向きの三角形の画像を表示することで、再生状態が示されている。図１１（Ｂ）の状態は、一時停止状態を示している。例えば右向きの三角形の画像を黄色に変色し、１秒毎に１回、表示・消去を繰り返す点滅状態を表示することで、一時停止状態を示している。
【００５４】
図１１（Ｃ）の状態は、早送り１の状態を示している。例えば右向きの三角形の画像を赤色に変色、高さを７５％に変形し、１秒毎に５回、その変換した画像を表示・消去を繰り返す点滅状態を表示することで、早送り１の状態を示している。
【００５５】
図１１（Ｄ）の状態は、早送り２の状態を示している。例えば右向きの三角形の画像を赤色に変色、高さを５０％に変形し、１秒毎に１０回、その変換した画像を表示・消去を繰り返す点滅状態を表示することで、早送り２の状態を示している。
【００５６】
図１１（Ｅ）の状態は、早送り３の状態を示している。例えば右向きの三角形の画像を赤色に変色、高さを２５％に変形し、１秒毎に１５回、その変換した画像を表示・消去を繰り返す点滅状態を表示することで、早送り３の状態を示している。
【００５７】
図１１（Ｆ）の状態は、巻戻し１の状態を示している。例えば右向きの三角形の画像を橙色に変色、高さを７５％・左右を反転するように変形し、１秒毎に５回、その変換した画像を表示・消去を繰り返す点滅状態を表示することで、巻戻し１の状態を示している。
【００５８】
図１１（Ｇ）の状態は、巻戻し２の状態を示している。例えば右向きの三角形の画像を橙色に変色、高さを５０％・左右を反転するように変形し、１秒毎に１０回、その変換した画像を表示・消去を繰り返す点滅状態を表示することで、巻戻し２の状態を示している。
【００５９】
図１１（Ｈ）の状態は、巻戻し３の状態を示している。例えば右向きの三角形の画像を橙色に変色、高さを２５％・左右を反転するように変形し、１秒毎に１５回、その変換した画像を表示・消去を繰り返す点滅状態を表示することで、巻戻し３の状態を示している。
【００６０】
以上のように本発明の第２の実施形態に係る映像再生装置によれば、画像変換部１０８に画像変換制御部５０１を備え、パターンデータ記憶部５０２を備えることにより、早送りや巻戻しの段階が増えた場合や、ユーザの趣向に合わせて再生状態表示画像を変換したい場合に簡単に表現パターンを増減または変更することができる。
【００６１】
なお、以上の説明では、映像出力装置１０２を外部に接続した例について説明したが、映像コンテンツを格納する映像格納領域を映像再生装置１０１に保有する場合についても同様に実施可能である。
【産業上の利用可能性】
【００６２】
本発明の映像再生装置、映像再生方法及び映像再生プログラムは、映像や音声等の品質を下げることなく、多段階の早送りや巻戻し等の再生状態を表示可能な効果を有し、マルチメディアコンテンツの再生端末等に有用である。
【図面の簡単な説明】
【００６３】
【図１】本発明の第１の実施形態に係る映像再生装置の概略構成を示すブロック図
【図２】本発明の第１の実施形態に係る画像変換命令の形式の一例を示す図
【図３】本発明の第１の実施形態に係る画像変換部の構成例を示すブロック図
【図４】本発明の第１の実施形態に係る映像再生方法の処理手順を説明するためのフロー図
【図５】本発明の第１の実施形態に係る映像再生装置の再生状態表示画像の変換移行例の図
【図６】本発明の第２の実施形態に係る画像変換部の構成例を示すブロック図
【図７】本発明の第２の実施形態に係る映像再生装置のパターンデータの第１の例を示す図
【図８】本発明の第２の実施形態に係る映像再生装置のパターンデータの第２の例を示す図
【図９】本発明の第２の実施形態に係る映像再生装置のパターンデータの第３の例を示す図
【図１０】本発明の第２の実施形態に係る映像再生方法の処理手順を説明するためのフロー図
【図１１】本発明の第２の実施形態に係る映像再生装置の再生状態表示画像の変換例を示す図
【符号の説明】
【００６４】
１０１  映像再生装置
１０２  入力装置
１０３  操作情報受付部
１０４  画像変換命令作成部
１０５  映像制御部
１０６  映像出力装置
１０７  画像選択部
１０８  画像格納部
１０９、５０９  画像変換部
１１０  画像表示部
１１１  映像表示装置
２０１  色彩変色部
２０２  形状変形部
２０３  点滅速度変換部
５０１  画像変換制御部
５０２  パターンデータ記憶部
【図１】
2007013410.tif 000003
【図２】
2007013410.tif 000004
【図３】
2007013410.tif 000005
【図４】
2007013410.tif 000006
【図５】
2007013410.tif 000007
【図６】
2007013410.tif 000008
【図７】
2007013410.tif 000009
【図８】
2007013410.tif 000010
【図９】
2007013410.tif 000011
【図１０】
2007013410.tif 000012
【図１１】
2007013410.tif 000013